(57)【要約】【課題】可動部のヒンジの突出を抑制して液晶部の表裏反転の動作を可能とし、かつ、液晶部の表面露出による耐久性の劣化を抑制してスライド動作を可能とする構造を構築する。【解決手段】携帯電話装置は、上側基板１１及びＫＥＹ部１３を有する上側筐体１０と、下側基板２１及び液晶部２３を有する下側筐体２０と、両筐体１０、２０間を開閉可能に結合するヒンジ３０と、両基板１１、２１間を接続するＦＰＣ４０とを備える。ヒンジ３０は、上側筐体１０の両側面１０ｃ、１０ｄ側の凸部３１と、下側筐体２０の両側面２０ｃ、２０ｄ側の凹部３２とを有する。上側筐体１０は、下側筐体２０に対し、第１段階スライド動作、回転動作、第２段階スライド動作を行う。ＦＰＣ４０は、上側筐体１０の左側面１０ｃ側を通って両基板１１、２１間を接続し、第１段階スライド動作、回転動作、第２段階スライド動作に対応してその状態がフレキシブルに変化する。【選択図】図１
2007274085.tif 000002
【特許請求の範囲】
【請求項１】
第１の基板を有する第１の筐体と、
第２の基板を有する第２の筐体と、
前記第１の筐体及び前記第２の筐体間を開閉可能に結合するヒンジと、
前記第１の基板及び前記第２の基板間を接続するフレキシブルプリント基板とを備え、
前記ヒンジは、前記第１の筐体の２つの側面側にそれぞれ設けられる凸部と、前記第２の筐体の２つの側面側にそれぞれレール溝を成すように形成され且つ前記凸部を嵌め込んだ状態でスライド及び回転可能に支持する凹部を有し、
前記第１の筐体は、前記第２の筐体に対し、閉状態の位置から前記凸部を前記凹部が成すレール溝に沿ってスライドさせる第１段階スライド動作と、前記凸部を前記凹部に対して回転させることにより表裏反転させる回転動作と、前記凸部を前記凹部が成すレール溝に沿って前記第１段階スライド動作とは反対方向に開状態の位置までスライドさせる第２段階スライド動作とを行い、
前記フレキシブルプリント基板は、前記第１の筐体の２つの側面の少なくとも一方の側を通って前記第１の基板及び前記第２の基板間を接続し、且つ、前記第１段階スライド動作、前記回転動作、及び前記第２段階スライド動作に対応してその状態がフレキシブルに変化するように構成されていることを特徴とする携帯電話装置。
【請求項２】
前記第１の筐体は、裏面側に操作部を有し、
前記第２の筐体は、正面側に表示部を有し、
前記表示部は、前記第１の筐体と前記第２の筐体とが閉状態のときに非露出状態となり、前記第１の筐体と前記第２の筐体とが開状態のときに前記操作部と共に露出状態となるように構成されていることを特徴とする請求項１記載の携帯電話装置。
【請求項３】
前記第１の筐体は、前記第１の基板に接続される第１のＦＰＣコネクタを有し、
前記第２の基板は、前記第２の基板に接続される第２のＦＰＣコネクタを有し、
前記フレキシブルプリント基板は、前記第１のＦＰＣコネクタ及び前記第２のＦＰＣコネクタ間を接続することを特徴とする請求項１又は２記載の携帯電話装置。
【請求項４】
第１の基板を有する第１の筐体と、
第２の基板を有する第２の筐体と、
前記第１の筐体及び前記第２の筐体間を開閉可能に結合するヒンジと、
前記第１の基板及び前記第２の基板間を接続するフレキシブルプリント基板とを備え、
前記ヒンジは、前記第１の筐体の２つの側面側にそれぞれ設けられる凸部と、前記第２の筐体の２つの側面側にそれぞれレール溝を成すように形成され且つ前記凸部を嵌め込んだ状態でスライド及び回転可能に支持する凹部を有し、
前記第１の筐体は、前記第２の筐体に対し、閉状態の位置から前記凸部を前記凹部が成すレール溝に沿ってスライドさせる第１段階スライド動作と、前記凸部を前記凹部に対して回転させることにより表裏反転させる回転動作と、前記凸部を前記凹部が成すレール溝に沿って前記第１段階スライド動作とは反対方向に開状態の位置までスライドさせる第２段階スライド動作とを行い、
前記フレキシブルプリント基板は、前記第１の筐体の２つの側面の少なくとも一方の側を通って前記第１の基板及び前記第２の基板間を接続し、且つ、前記第１段階スライド動作、前記回転動作、及び前記第２段階スライド動作に対応してその状態がフレキシブルに変化するように構成されていることを特徴とする携帯型電子機器。
【請求項５】
前記第１の筐体は、裏面側に操作部を有し、
前記第２の筐体は、正面側に表示部を有し、
前記表示部は、前記第１の筐体と前記第２の筐体とが閉状態のときに非露出状態となり、前記第１の筐体と前記第２の筐体とが開状態のときに前記操作部と共に露出状態となるように構成されていることを特徴とする請求項４記載の携帯型電子機器。
【請求項６】
前記第１の筐体は、前記第１の基板に接続される第１のＦＰＣコネクタを有し、
前記第２の基板は、前記第２の基板に接続される第２のＦＰＣコネクタを有し、
前記フレキシブルプリント基板は、前記第１のＦＰＣコネクタ及び前記第２のＦＰＣコネクタ間を接続することを特徴とする請求項４又は５記載の携帯型電子機器。
【請求項７】
第１の基板を有する第１の筐体と、第２の基板を有する第２の筐体と、前記第１の筐体及び前記第２の筐体間を開閉可能に結合するヒンジとを有し、
前記ヒンジは、前記第１の筐体の２つの側面側にそれぞれ設けられる凸部と、前記第２の筐体の２つの側面側にそれぞれレール溝を成すように形成され且つ前記凸部を嵌め込んだ状態でスライド及び回転可能に支持する凹部を有し、
前記第１の筐体は、前記第２の筐体に対し、閉状態の位置から前記凸部を前記凹部が成すレール溝に沿ってスライドさせる第１段階スライド動作と、前記凸部を前記凹部に対して回転させることにより表裏反転させる回転動作と、前記凸部を前記凹部が成すレール溝に沿って前記第１段階スライド動作とは反対方向に開状態の位置までスライドさせる第２段階スライド動作とを行う構成の携帯型電子機器で用いるフレキシブルプリント基板であって、
前記第１の筐体の２つの側面の少なくとも一方の側を通って前記第１の基板及び前記第２の基板間を接続し、且つ、前記第１段階スライド動作、前記回転動作、及び前記第２段階スライド動作に対応してその状態がフレキシブルに変化するように構成されていることを特徴とするフレキシブルプリント基板。
【発明の詳細な説明】
【技術分野】
【０００１】
本発明は、携帯電話装置、携帯型電子機器、及びこれで用いるフレキシブルプリント基板に係り、特に携帯電話装置において、２段階のスライド動作と回転動作が可能なヒンジの構造及びその構造を実現するためのフレキシブルプリント基板（ＦＰＣ）の構成に関する。
【背景技術】
【０００２】
近年、携帯電話は、通話機能以外に電子メールをやり取りする機能、インターネットにアクセスする機能、被写体を撮像する機能等、様々な機能を備え、多様化している。その装置の形態としては、現在、図６（ａ）に示す折り畳み型の携帯電話装置（図６（ａ）参照）が主流になっているが、この形態との差別化を図り、斬新且つ意外性のある構造として、例えば、図６（ｂ）に示すスライド型の携帯電話装置（参照）や、図６（ｃ）に示すＴ型フレキシブルヒンジ式の携帯電話装置等も実用化されている。図６（ａ）〜（ｃ）において、１０１は上側筐体、１０２は下側筐体、１０３はヒンジ部、１１１は液晶部（表示部）、１１２はＫＥＹ部（操作部）、１１３はスライド部、１２１はＴ型フレキシブルヒンジ部である。
【０００３】
なお、本発明に関連する先行技術として、特許文献１では、受話部およびキー操作部を有する電話機本体と、送話部を有するフリップと、フリップを電話機本体に対してスライド可能に保持するヒンジ部とを有するフリップ開閉型携帯電話装置も提案されている。
【特許文献１】特開平１１−０２７３５３号公報
【発明の開示】
【発明が解決しようとする課題】
【０００４】
このうち、図６（ｃ）に示すＴ型フレキシブルヒンジ式の携帯電話装置は、下部筐体１０２に対する上部筐体１０１側の液晶部１１１の表裏反転を可能にしたが、同時に多様な動きを実現するために可動部であるＴ型フレキシブルヒンジ部１２１が突出して大きくなり、その対策が望まれている。また、もう一方の図６（ｂ）に示すスライド型の携帯電話装置も、現行品では上部筐体１０１の液晶部１１１が表面に露出しているので、耐久面で十分に規格を満たせず、その対策が望まれている。
【０００５】
本発明は、このような従来の事情を考慮してなされたもので、可動部のヒンジの突出を抑制して液晶部の表裏反転の動作を可能とし、かつ、液晶部の表面露出による耐久性の劣化を抑制してスライド動作を可能とする構造を構築することを目的とする。
【課題を解決するための手段】
【０００６】
本発明者は、可動部のヒンジをあまり巨大にせず、かつ、液晶部を保護するという観点から種々の研究を重ねた結果、表裏反転の回転動作が可能なヒンジをレールに沿って２段階でスライドさせる２段階式スライド動作を可能にする新規な構造を構築すると共に、さらにその構造を実用化するために柔軟な動作を可能にするＦＰＣの構成を考え、本発明を完成するに至った。
【０００７】
すなわち、本発明に係る携帯電話装置は、第１の基板を有する第１の筐体と、第２の基板を有する第２の筐体と、前記第１の筐体及び前記第２の筐体間を開閉可能に結合するヒンジと、前記第１の基板及び前記第２の基板間を接続するフレキシブルプリント基板とを備え、前記ヒンジは、前記第１の筐体の２つの側面側にそれぞれ設けられる凸部と、前記第２の筐体の２つの側面側にそれぞれレール溝を成すように形成され且つ前記凸部を嵌め込んだ状態でスライド及び回転可能に支持する凹部を有し、前記第１の筐体は、前記第２の筐体に対し、閉状態の位置から前記凸部を前記凹部が成すレール溝に沿ってスライドさせる第１段階スライド動作と、前記凸部を前記凹部に対して回転させることにより表裏反転させる回転動作と、前記凸部を前記凹部が成すレール溝に沿って前記第１段階スライド動作とは反対方向に開状態の位置までスライドさせる第２段階スライド動作とを行い、前記フレキシブルプリント基板は、前記第１の筐体の２つの側面の少なくとも一方の側を通って前記第１の基板及び前記第２の基板間を接続し、且つ、前記第１段階スライド動作、前記回転動作、及び前記第２段階スライド動作に対応してその状態がフレキシブルに変化するように構成されていることを特徴とする。
【０００８】
本発明に係る携帯型電子機器は、第１の基板を有する第１の筐体と、第２の基板を有する第２の筐体と、前記第１の筐体及び前記第２の筐体間を開閉可能に結合するヒンジと、前記第１の基板及び前記第２の基板間を接続するフレキシブルプリント基板とを備え、前記ヒンジは、前記第１の筐体の２つの側面側にそれぞれ設けられる凸部と、前記第２の筐体の２つの側面側にそれぞれレール溝を成すように形成され且つ前記凸部を嵌め込んだ状態でスライド及び回転可能に支持する凹部を有し、前記第１の筐体は、前記第２の筐体に対し、閉状態の位置から前記凸部を前記凹部が成すレール溝に沿ってスライドさせる第１段階スライド動作と、前記凸部を前記凹部に対して回転させることにより表裏反転させる回転動作と、前記凸部を前記凹部が成すレール溝に沿って前記第１段階スライド動作とは反対方向に開状態の位置までスライドさせる第２段階スライド動作とを行い、前記フレキシブルプリント基板は、前記第１の筐体の２つの側面の少なくとも一方の側を通って前記第１の基板及び前記第２の基板間を接続し、且つ、前記第１段階スライド動作、前記回転動作、及び前記第２段階スライド動作に対応してその状態がフレキシブルに変化するように構成されていることを特徴とする。
【０００９】
本発明において、前記第１の筐体は、裏面側に操作部を有し、前記第２の筐体は、正面側に表示部を有し、前記表示部は、前記第１の筐体と前記第２の筐体とが閉状態のときに非露出状態となり、前記第１の筐体と前記第２の筐体とが開状態のときに前記操作部と共に露出状態となるように構成されていてもよい。
【００１０】
本発明において、前記第１の筐体は、前記第１の基板に接続される第１のＦＰＣコネクタを有し、前記第２の基板は、前記第２の基板に接続される第２のＦＰＣコネクタを有し前記フレキシブルプリント基板は、前記第１のＦＰＣコネクタ及び前記第２のＦＰＣコネクタ間を接続してもよい。
【００１１】
本発明に係るフレキシブルプリント基板は、第１の基板を有する第１の筐体と、第２の基板を有する第２の筐体と、前記第１の筐体及び前記第２の筐体間を開閉可能に結合するヒンジとを有し、前記ヒンジは、前記第１の筐体の２つの側面側にそれぞれ設けられる凸部と、前記第２の筐体の２つの側面側にそれぞれレール溝を成すように形成され且つ前記凸部を嵌め込んだ状態でスライド及び回転可能に支持する凹部を有し、前記第１の筐体は、前記第２の筐体に対し、閉状態の位置から前記凸部を前記凹部が成すレール溝に沿ってスライドさせる第１段階スライド動作と、前記凸部を前記凹部に対して回転させることにより表裏反転させる回転動作と、前記凸部を前記凹部が成すレール溝に沿って前記第１段階スライド動作とは反対方向に開状態の位置までスライドさせる第２段階スライド動作とを行う構成の携帯型電子機器で用いるフレキシブルプリント基板であって、前記第１の筐体の２つの側面の少なくとも一方の側を通って前記第１の基板及び前記第２の基板間を接続し、且つ、前記第１段階スライド動作、前記回転動作、及び前記第２段階スライド動作に対応してその状態がフレキシブルに変化するように構成されていることを特徴とする。
【発明の効果】
【００１２】
本発明によれば、可動部のヒンジの突出を抑制して２段スライド動作を実現し表裏反転を可能にし、液晶部の表面露出による耐久性の劣化を抑制することができる。とくに、ＦＰＣを側面に備えることで柔軟な動作を可能にし、ＦＰＣの柔軟な材質を利用して装置の反転機能を実現することができる。このＦＰＣを使用することで、ヒンジが両サイドに可動部の役割を分散できることになり装置に過度の大きさを要求されず、閉状態で液晶を露出せずに済むので耐久性も向上する。
【発明を実施するための最良の形態】
【００１３】
以下、本発明に係る携帯電話装置及びこれで用いるフレキシブルプリント基板の実施の形態について、図面を参照して詳細に説明する。
【００１４】
図１（ａ）及び（ｂ）は、本実施の形態の携帯電話装置の全体構成を示す。図１（ａ）は、側面図、図１（ｂ）は、図１（ａ）中のＡ−Ａ線に沿った断面図である。図中の例では、便宜上、左側面と右側面を通る法線方向をＸ方向（幅方向又は左右方向）とし、正面と裏面（背面）を通る法線方向をＹ方向（厚さ方向）とし、上面と底面を通る法線方向をＺ方向（長手方向又は上下方向）としている。
【００１５】
同図に示すように携帯電話装置は、２つの筐体、すなわち上側筐体（第１の筐体）１０と下側筐体（第２の状態）２０と、両筐体１０、２０を互いにＺ方向に沿ってスライド可能に且つＸ方向を中心にＹＺ平面内で回転可能に結合するヒンジ（２段階スライド式ヒンジ）３０とから成っている。
【００１６】
上側筐体１０は、矩形状の外側表面、すなわちＹ方向の正面１０ａ及び裏面（背面）１０ｂと、Ｘ方向の左側面１０ｃ及び右側面１０ｄと、Ｚ方向の上面１０ｅ及び底面１０ｆとを有する。本実施の形態では、裏面１０ｂの適宜位置に操作キーを含むＫＥＹ部（操作部）１３が配置されている。
【００１７】
下側筐体２０も、上側筐体１０と同様に矩形状の外側表面、すなわちＹ方向の正面２０ａ及び裏面（背面）２０ｂと、Ｘ方向の左側面２０ｃ及び右側面２０ｄと、Ｚ方向の上面２０ｅ及び底面２０ｆとを有する。本実施の形態では、正面２０ｂの適宜位置に液晶部（表示部）２３が配置されている。
【００１８】
上側筐体１０は、下側筐体２０よりもＸ方向のサイズが大きく、左側面１０ｃ及び右側面１０ｄのうち、底面１０ｆ側の端部が下側筐体２０の左側面２０ｃ及び右側面２０ｄとＸ方向に対向するように形成されている。
【００１９】
ヒンジ３０は、上側筐体１０の左側面１０ｃ及び右側面１０ｄのうち、底面１０ｆ側の端部の内側に、下側筐体２０側にＸ方向に突出するように配設される凸部（突起部）３１と、下側筐体２０の左側面２０ｃ及び右側面２０ｄにＺ方向に沿って設けられ、凸部３１を嵌め合い可能なレール溝を成し且つそのレール溝に沿って凸部３１をスライド及び回転可能に支持する凹部３２とから構成されている。これにより、上側筐体１０は、凸部３１及び凹部３２からなるヒンジ３０を介して、下側筐体２０に対して底面２０ｆ側から上面２０ｅ側に凹部３２が成すレール溝に沿ってスライドし、上面２０ｅ側の端部で表裏反転するように回転し、さらに底面２０ｆ側から上面２０ｅ側に凹部３２が成すレール溝に沿ってスライドするようになっている。
【００２０】
図２（ａ）及び（ｂ）は、装置の正面から見たスライド動作及び回転動作を説明するものである。図２（ａ）において、上側筐体１０を下側筐体２０に対して閉状態の位置からＺ方向（図中の上方向）にスライドさせ、図中の最上部の位置まで移動する（図中の矢印ａ１で示す第１段階スライド動作参照）。次に、図２（ａ）に示すように、上側筐体１０を下側筐体２０に対してＸ方向を中心に回転させて表裏反転させ、上部筐体１０の裏面１０ｂにあるＫＥＹ部１３を下部筐体２０の正面２０ａにある液晶部２３と同一面にする（図中の矢印ａ２で示す回転動作参照）。そして、図２（ｂ）に示すように、今度は上側筐体１０を下側筐体２０に沿う形でＺ方向（図中の下方向）にスライドさせ、図中の最下部の位置まで移動する（図中の矢印ａ３で示す第２段階スライド動作参照）。最終的に、図２（ｂ）に示すように、正面側から見て裏面側に上側筐体１０の裏面１０ｂが、また正面側に下側筐体２０の正面２０ａがそれぞれ露出する開状態となる。
【００２１】
両筐体１０、２０には、それぞれ上側基板（第１の基板）１１及び下側基板（第２の基板）２１と、上側ＦＰＣコネクタ（第１のＦＰＣコネクタ）１２及び下側ＦＰＣコネクタ（第２のＦＰＣコネクタ）２２とが実装されている。両ＦＰＣコネクタ１２、１３間には、ＦＰＣ（Ｍ−Ｒ＿ＦＰＣ）４０が設けられる。
【００２２】
ＦＰＣ４０は、一方の端部が上側ＦＰＣコネクタ１２に接続され、そこから左側面１０ｃ側を通って、下側筐体２０内側に延び、その左側面２０ｃ側を介して他方の端部が下側ＦＰＣコネクタ２２に接続され、上側基板１１と下側基板２１とを互いに接続する。ＦＰＣ４０は、フレキシブルに動作することにより、スライドするヒンジ３０に伴って形状を変化させる。
【００２３】
図３は、ＦＰＣ４０の形状を説明するものである。図３において、ＦＰＣ４０の一方の端部である上側コネクタ接続部４１が上側筐体１０内の上側ＦＰＣコネクタ１２に、またＦＰＣ４０の他方の端部である下側コネクタ接続部４２が下側筐体２０内の下側ＦＰＣコネクタ２２に接続されている。このＦＰＣ４０は、上側筐体１０内の位置する上側コネクタ接続部４１から左側面１０ｃ側の内部を通って下側筐体２０内に位置する下側コネクタ接続部４２に延びている。このＦＰＣ４０が図中の符号ｂ１の状態（図中の左右交互に波状に湾曲した状態）に示すように上側筐体１０側で、その形状をフレキシブに変化することで前述の第１段階スライド動作ａ１、回転動作ａ２、及び第２段階スライド動作ａ３を可能にしている。
【００２４】
次に、図４及び図５を参照して、装置の左側面から見た第１段階スライド動作ａ１、回転動作ａ２、及び第２段階スライド動作ａ３の可変動作と、これに伴うＦＰＣ４０の可変動作とについて説明する。
１）第１段階スライド動作（状態１〜３）
図４（ａ）の状態１は、上側筐体１０及び下側筐体２０の閉状態を表している。この状態から、前述した第１段階スライド動作ａ１により、図４（ｂ）の状態２に示すように、下側筐体２０の左側面に設けた凹部３２が成すレールに沿って上側筐体１０をスライドさせていき、図４（ｃ）の状態３の位置まで移動させる。このとき、ＦＰＣ３０は、上側筐体１０の左側面側で、図５（ａ）の状態１（符号ｂ１の状態：左右交互に波状に湾曲した状態）から図５（ｂ）の状態２（符号ｂ２の状態：左右両端側が引っ張られて湾曲部が中央部のみに残り小さくなった状態）を経て、図５（ｃ）の状態３（符号ｂ３の状態：両端側が延びて湾曲部がなくなった状態）へと変化する。
２）回転動作（状態３〜４）
続いて、図４（ｃ）の状態３に示すように、前述した回転動作ａ２により、上側筐体１０を下側筐体２０に対してＸ方向を中心に回転させて、図４（ｄ）の状態４に示すように、装置を反転させる。このとき、ＦＰＣ３０は、上側筐体１０の左側面側で、図５（ｃ）の状態３（符号ｂ３の状態：両端側が延びて湾曲部がなくなった状態）から図５（ｄ）の状態４（符号ｂ４の状態：左右交互に波状に湾曲した状態）へと変化する。
３）第２段階スライド動作（状態４〜６）
さらに、図４（ｄ）の状態４に示す状態から、前述した第２段階スライド動作ａ３により、図４（ｅ）の状態５に示すように、下側筐体２０の左側面に設けた凹部３２が成すレールに沿って上側筐体１０を上記の第１段階スライド動作とは逆方向にスライドさせていき、図４（ｆ）の状態６の位置まで移動させる。これにより、上側筐体１０及び下側筐体２０は、開状態になる。上側筐体１０の左側面側で、図５（ｄ）の状態４（符号ｂ４の状態：左右交互に波状に湾曲した状態）から図５（ｅ）の状態５（符号ｂ５の状態：中央部が延びて両端側に湾曲部が残った状態）を経て、図５（ｆ）の状態６（符号ｂ６の状態：左端部から中央部が延びて右端部に湾曲部が形成された状態）へと変化する。
【００２５】
従って、本実施の形態によれば、二段階型スライド式ヒンジの動作を可能にするＦＰＣ３０の構成を構築し、装置の側面に備えられたＦＰＣ３０が装置と共に可変運動することにより、表裏をスムーズに反転させる機能を実現することができる。これにより、従来市場に出ているスライド式の携帯電話では実現できなかった２段階のスライド動作を実現でき、さらに今までの使用可能領域を狭めることなく利用することができる。
【００２６】
また、本実施例によれば、折り畳み型の携帯電話のような開閉動作の効率性も損なうことなく、一連の動作で開状態にできるので、操作性を大幅に簡素化することができる。さらに、従来市場に出ているスライド式の携帯電話装置のように閉状態で液晶部が露出することもないため、耐久性の劣化を大幅に抑制することができる。
【００２７】
以上、本発明の実施の形態を詳細に説明したが、本発明は、代表的に例示した上述の実施の形態に限定されるものではなく、当業者であれば、特許請求の範囲の記載内容に基づき、本発明の要旨を逸脱しない範囲内で種々の態様に変形、変更することができる。これらの変形例や変更例も本発明の権利範囲に属するものである。
【産業上の利用可能性】
【００２８】
本発明による携帯電話装置で利用した２段階構成のスライド式ヒンジは、携帯電話に限らず他の携帯型電子機器であるモバイル機器に応用が可能である。例えば、ＰＤＡ（Personal Digital Assistant）、デジタルカメラ、オーディオプレーヤーなどのモバイル機器が挙げられる。
【図面の簡単な説明】
【００２９】
【図１】本発明の実施の形態に係る携帯電話装置の構造を示す図で、（ａ）は側面図、（ｂ）は（ａ）中のＡ−Ａ線に沿った断面図である。
【図２】（ａ）は、携帯電話装置の第１段階スライド動作と回転動作を説明する平面図、（ｂ）は携帯電話装置の第２段階スライド動作を説明する平面図である。
【図３】上側筐体及び下側筐体間に配置されるＦＰＣの形状を説明する図である。
【図４】（ａ）〜（ｆ）は、携帯電話装置の動作を説明する側面図である。
【図５】（ａ）〜（ｆ）は、図４（ａ）〜（ｆ）に対応するＦＰＣの動作を説明する図である。
【図６】従来例の携帯電話装置の各種構造を説明する図で、（ａ）折り畳み型の構造を示す側面図、（ｂ）スライド型の構造を示す平面図、（ｃ）Ｔ型フレキシブルヒンジ式の構造を示す上面図である。
【符号の説明】
【００３０】
１０  上側筐体（第１の筐体）
１１  上側基板（第１の基板）
１２  上側ＦＰＣコネクタ（第１のＦＰＣコネクタ）
２０  下側筐体（第２の筐体）
２１  下側基板（第１の基板）
２２  下側ＦＰＣコネクタ（第１のＦＰＣコネクタ）
３０  ヒンジ（２段階スライド式ヒンジ）
４０  ＦＰＣ
４１  上側ＦＰＣ接続部
４２  下側ＦＰＣ接続部
【図１】
2007274085.tif 000003
【図２】
2007274085.tif 000004
【図３】
2007274085.tif 000005
【図４】
2007274085.tif 000006
【図５】
2007274085.tif 000007
【図６】
2007274085.tif 000008